(57)【要約】【課題】本発明は、時間の経過や着用者の動作によって襟部材が所望の位置からずれたりすることがなく、着用時の状態を保つことができる襟部材を提供することを目的とする。【解決手段】腹部周囲に巻き付けられる長尺帯状の胴回り部材と、この胴回り部材に一端が連結され中間部が首回りに巻き付けられ他端が胴回り部材に連結される長尺状の首回り部材と、前記首回り部材の一端側を前記胴回り部材の腹部側で脱着自在に連結するとともに、首回りに巻き付けられた状態で、他端側を前記胴回り部材の腹部側で脱着自在に連結する止着手段とからなることを特徴とする。【選択図】図１
2013122096.tif 000002
【特許請求の範囲】
【請求項１】
腹部周囲に巻き付けられる長尺帯状の胴回り部材と、
この胴回り部材に一端が連結され中間部が首回りに巻き付けられ他端が胴回り部材に連結される長尺状の首回り部材と、
前記首回り部材の一端側を前記胴回り部材の腹部側で脱着自在に連結するとともに、首回りに巻き付けられた状態で、他端側を前記胴回り部材の腹部側で脱着自在に連結する止着手段とからなることを特徴とする襟部材。
【請求項２】
請求項１に記載の襟部材であって、
前記襟部材は、長手方向の両端に幅広端部がそれぞれ形成され中間部に両端より幅狭の幅狭中間部が形成されていることを特徴とする襟部材。
【請求項３】
請求項１又は請求項２に記載の襟部材であって、
前記止着手段は、前記胴回り部材の腹部側に設けられて、首回り部材の一端側及び他端側をそれぞれ連結する一端側止め具及び他端側止め具と、
前記首回り部材の両端に設けられて前記一端側止め具及び他端側止め具にそれぞれ連結される一端側被止め具及び他端側被止め具とからなることを特徴とする襟部材。
【発明の詳細な説明】
【技術分野】
【０００１】
本発明は、ジャケット等の着用時に、襟元に巻き掛けられる襟部材に関する。
【背景技術】
【０００２】
着物又はジャケット等を着用する際に、着物又はジャケット等の首回りの汚れの防止又はデザイン性を高めるために、スカーフや襟部材等を襟元に巻き掛けることがある。（特許文献１，特許文献２）
このように、首回りにスカーフや襟部材等を襟元に巻き掛けることによって、着物やジャケットのみを着用した時よりも、ワイシャツ又はジャケットの首回りの汚れを防止でき、かつ、おしゃれ度が向上する。
【先行技術文献】
【特許文献】
【０００３】
【特許文献１】実開昭６１−０３３８０５号公報
【特許文献２】実用新案登録第３１５８６４５号
【発明の概要】
【発明が解決しようとする課題】
【０００４】
ところが、首回りにスカーフや襟部材を巻き付けた状態で、長時間が経過した場合や、体を捻るなどの動作をすると、スカーフや襟部材の位置が所望の位置からずれたり、着用した当初の状態から変化してしまうということがあった。このため、首回りの汚れの防止ができなくなり、おしゃれ度も低下する。
【０００５】
そこで、本発明は、時間の経過や着用者の動作によって襟部材が所望の位置からずれたりすることがなく、着用時の状態を保つことができる襟部材を提供することを目的とする。
【課題を解決するための手段】
【０００６】
この課題を解決するために本発明の襟部材は、腹部周囲に巻き付けられる長尺帯状の胴回り部材と、この胴回り部材に一端が連結され中間部が首回りに巻き付けられ他端が胴回り部材に連結される長尺状の首回り部材と、前記首回り部材の一端側を前記胴回り部材の腹部側で脱着自在に連結するとともに、首回りに巻き付けられた状態で、他端側を前記胴回り部材の腹部側で脱着自在に連結する止着手段とからなることを特徴とする。
【０００７】
また、前記襟部材は、長手方向の両端に幅広端部がそれぞれ形成され中間部に両端より幅狭の幅狭中間部が形成されていることを特徴とする。
【０００８】
さらに、前記止着手段は、前記胴回り部材の腹部側に設けられて、首回り部材の一端側及び他端側をそれぞれ連結する一端側止め具及び他端側止め具と、前記首回り部材の両端に設けられて前記一端側止め具及び他端側止め具にそれぞれ連結される一端側被止め具及び他端側被止め具とからなることを特徴とする。
【発明の効果】
【０００９】
本発明によれば、首回り部材の一端及び他端が止着手段により胴回り部材に連結されているので時間の経過や着用者の動作によって襟部材が所望の位置からずれたりすることがなく、着用時の状態を保つことができる。したがって、襟部材が首回りからずれないので、ジャケット等の首回りの汚れの防止ができ、おしゃれ度も低下することがない。
【００１０】
また、襟部材が長手方向の両端に幅広端部がそれぞれ形成され中間部に両端より幅狭の幅狭中間部が形成されていることにより、着用時の状態を保つことができるとともに、襟部材のデザイン性を高めることができる。
【００１１】
さらに、止着手段が、胴回り部材の腹部側に設けられて、首回り部材の一端側及び他端側をそれぞれ連結する一端側止め具及び他端側止め具と、首回り部材の両端に設けられて一端側止め具及び他端側止め具にそれぞれ連結される一端側被止め具及び他端側被止め具とからなる構成とすることにより、襟部材を着用時の状態により確実に保つことができる。
【図面の簡単な説明】
【００１２】
【図１】本発明の襟部材を人体Ｐが着用した全体図。
【図２】本発明の襟部材の拡大図。
【図３】（ａ）本発明の胴回り部材の分解拡大図、（ｂ）本発明の首回り部材の分解拡大図。
【図４】第２の実施の形態を示す襟部材の拡大図。
【図５】第３の実施の形態を示す襟部材の拡大図。
【図６】（ａ）第４の実施の形態を示す襟部材の分解拡大図、（ｂ）第４の実施の形態を示す襟部材の拡大図。
【図７】（ａ）第５の実施の形態を示す襟部材の分解拡大図、（ｂ）第５の実施の形態を示す襟部材の拡大図。
【図８】（ａ）第６の実施の形態を示す襟部材の分解拡大図、（ｂ）第６の実施の形態を示す襟部材の拡大図。
【発明を実施するための形態】
【００１３】
以下、本発明の実施の形態について、説明する。
【００１４】
〔実施例１〕
図１〜図３に示すように、実施例１の襟部材１は、人体Ｐの腹部周囲に巻き付けられる長尺帯状の胴回り部材２と、この胴回り部材２に一端が連結され中間部が首回りに巻き付けられ他端が胴回り部材２に連結される長尺状の首回り部材３と、首回り部材３の一端側を胴回り部材２の腹部側で脱着自在に連結するとともに、首回りに巻き付けられた状態で、他端側を胴回り部材２の腹部側で脱着自在に連結する止着手段４とからなっている。
【００１５】
首回り部材３は、図２，図３（ａ）に示すように長尺帯状であって、長手方向の両端に幅広端部５，５がそれぞれ形成され、幅広端部５，５間は両端部よりも幅狭の幅狭中間部６が形成されている。また、幅狭中間部６の両側から幅広端部５，５に向けて次第に幅寸法が大きくなり、両端で幅寸法が最大となっている。これらの幅広端部５，５にはそれぞれ被止着部としての一端側止め具９ａ、他端側止め具１０ａが設けられている。この被着部は胴回り部材２の止着部に連結される。
【００１６】
胴回り部材２は、図２，図３（ｂ）に示すように、長尺帯状で両端部２ａ、２ｂに両端部２ａ、２ｂを連結する係止手段８ａが形成され、中間部に腹当部７が形成されている。この腹当部７には被止着部としての一端側被止め具９ｂ、他端側被止め具１０ｂが設けられている。一端側被止め具９ｂには首回り部材３の一端側止め具９ａが連結され、他端側被止め具１０ｂには首回り部材３の他端側止め具１０ａが連結される。これにより首回り部材３は、胴回り部材２の腹当部７に交叉した状態で止着手段４によって連結される。
【００１７】
止着手段４は、上記被止着部と上記止着部とで構成され、具体的には、一端側被止め具９ｂ、他端側止め具１０ａ、一端側止め具９ａ、他端被側止め具１０ｂとで形成されている。他端側被止め具１０ｂは、腹当部７の幅方向に沿って３箇所設けられている。これにより、首回り部材３の他端側止め具１０ａの連結位置を変更することが出来るので、人体Ｐの首回りに巻き付ける長さを調整することができ、人体Ｐの体格に合わせて首回り部材３の人体Ｐへの巻きかける長さを調整することができる。
【００１８】
なお、本実施形態では、止着手段４の他端側被止め具１０ｂを３箇所設けているが１箇所であっても良い。また、他端側被止め具１０ｂは４箇所以上設けてあっても良い。すなわち、他端側被止め具１０ｂは、着用する人体Ｐの大きさに合わせて他端側被止め具１０ｂを止着する他端側止め具１０ａの位置を適宜変更し、首回り部材３の長さを調整することができる構成であることが望ましい。
【００１９】
図３（ｂ）に示すように、首回り部材３には、一端側の端部に設けられる一端側止め具９ａと他端側の端部に設けられる他端側止め具１０ａとが設けられており、一端側止め具９ａは、胴回り部材２に設けられた一端側被止め具９ｂと止着する。また、人体Ｐの前側で他端側の幅広端部５，５が一端側の幅広端部５の上になるように交差して、他端側止め具１０ａを胴回り部材２に設けられた他端側被止め具１０ｂと止着する。
【００２０】
本発明の襟部材１は、図１に示すように、人体Ｐの首に巻き付けられるようにして首回り部材３を巻き付け、人体Ｐの前面側において他端側の首回り部材３が一端側の首回り部材３の表面上に交差するようにして着用される。次に、胴回り部材２が人体Ｐの腹部側を中心にして胴回り部材２を腹部に巻き付ける。このとき、胴回り部材２に形成された他端側被止め具１０ｂが首回り部材３の他端側の端部に設けられた他端側止め具１０ａと止着するように着用され、胴回り部材２の一端側被止め具９ｂと首回り部材３の一端側止め具９ａが止着するように着用される。そして、胴回り部材２の両端部２ａ、２ｂに設けられた係止手段８ａ，８ｂを係止することによって、人体Ｐへの着用が完了する。
【００２１】
このように、本発明の襟部材１では、止着手段４によって、首回り部材３と胴回り部材２を止着することにより、時間の経過や着用者の激しい動作によって襟部材１が所望の位置からずれたりすることがなく、着用時の状態を確実に保つことができる。
【００２２】
また、首回り部材３が長手方向の両端に幅広端部５，５がそれぞれ形成され中間部に両端より幅狭の幅狭中間部６が形成されるていることにより、着用時の状態を保つことができるとともに、襟部材１のデザイン性を高めることができる。
【００２３】
また、本発明の効果をより高めるために、首回り部材３の表面又は裏面に、滑り止め部材や摩擦係数の高い素材を使用しても良い。
【００２４】
なお、本実施形態では、止着手段４として、マジックテープ（登録商標）を用いて説明したが、首回り部材３と胴回り部材２とを止着することができれば良く、例えば、ボタンやフック、スナップなどを用いても良い。同様に、係止手段８ａ，８ｂも胴回り部材２の両端部２ａ、２ｂを係止することができれば良く、ボタンやフック、スナップなどを用いても良い。
【００２５】
また、本実施形態では、止着手段４として、他端側被止め具１０ｂを複数設けたが、一端側被止め具９ｂを複数設けても同様の効果を得ることが出来る。
【００２６】
〔実施例２〕
図４を用いて実施例２に係る襟部材を説明する。なお、実施例１と同じ構成については説明を省略する。
【００２７】
本実施例の襟部材１は図４に示すように、人体Ｐの前側で一端側の幅広端部５が他端側の幅広端部５の上になるように交差して、一端側止め具９ａを胴回り部材２に設けられた一端側被止め具９ｂと止着する。
【００２８】
本発明の襟部材１は、図４に示すように、図示しない人体の首に巻き付けられるようにして首回り部材３を巻き付け、人体の前面側において一端側の首回り部材３が他端側の首回り部材３の上に交差するようにして着用される。次に、胴回り部材２が人体の腹部側を中心にして胴回り部材２を腹部に巻き付ける。このとき、胴回り部材２に形成された一端側被止め具９ｂが首回り部材３の一端側の端部に設けられた一端側止め具９ａと止着するように着用され、胴回り部材２の他端側被止め具１０ｂと首回り部材３の他端側止め具１０ａが止着するように着用される。そして、胴回り部材２の両端部２ａ、２ｂに設けられた係止手段８ａ，８ｂを係止することによって、人体への着用が完了する。
【００２９】
このような構成とすることにより、本実施例２の襟部材１では、上記実施例１と同様の効果を得ることができる。
【００３０】
〔実施例３〕
図５を用いて実施例３に係る襟部材１００を説明する。なお、上記実施例と同じ構成については説明を省略する。
【００３１】
本実施例の襟部材１００は、図５に示すように、首回り部材３に首回り部材３と略同一形状の第２首回り部材２３が首回り部材３の長手方向に沿うように一体に縫い付けられており、第２首回り部材２３は、首回り部材３と同様に幅広端部２５，２５と幅狭中間部２６を有している。
【００３２】
第２首回り部材２３が一体に縫い付けられた首回り部材３は、上記実施例と同様に、図示しない人体の首に巻き付けられるようにして首回り部材３及び第２首回り部材２３を巻き付け、人体の前面側において一端側の首回り部材３及び第２首回り部材２３が他端側の首回り部材３及び第２首回り部材２３の上に交差するようにして着用される。次に、胴回り部材２が人体の腹部側を中心にして胴回り部材２を腹部に巻き付ける。このとき、胴回り部材２に形成された一端側被止め具９ｂが首回り部材３の一端側の端部に設けられた一端側止め具９ａと止着するように着用され、胴回り部材２の他端側被止め具１０ｂと首回り部材３の他端側止め具１０ａが止着するように着用される。そして、胴回り部材２の両端部に設けられた図示しない係止手段を係止することによって、人体への着用が完了する。
【００３３】
このように、首回り部材３と第２首回り部材２３とを一体に縫い付けることで、よりデザイン性を高めることができる。
【００３４】
〔実施例４〕
図６（ａ）、（ｂ）を用いて実施例４に係る襟部材２００を説明する。なお、上記実施例と同じ構成については説明を省略する。
【００３５】
本実施例の襟部材２００は、図６（ａ）、（ｂ）に示すように、帯状の首回り部材３３、３３が２本により形成されている。
【００３６】
一方の首回り部材３３は、人体の背面側の胴回り部材２に一端が固定され、他方の首回り部材３３も、人体の背面側の胴回り部材２に一端が固定されている。
【００３７】
この首回り部材３３、３３は、上記実施例１〜３と同様に、首回り部材３３の長手方向の両端に幅広端部３０，３０がそれぞれ形成され、中間部には両端より幅狭の幅狭中間部３６がそれぞれ設けられている。一端を人体の背面側の胴回り部材２に固定された首回り部材３３、３３は、人体の背中近辺で交差するように巻き掛けられ、幅狭中間部３６が人体の肩又は首に巻き掛けられ、人体の前面側において再び交差するように人体に巻き掛けられる。
【００３８】
このような構成により、本実施例４の襟部材２００では、上記実施例と同様の効果を得ることができる。
【００３９】
〔実施例５〕
図７を用いて実施例５に係る襟部材３００を説明する。なお、上記実施例と同じ構成については説明を省略する。
【００４０】
本実施例の襟部材３００は、首回り部材３と第２首回り部材３３とからなっている。上記実施例３において、首回り部材３と第２首回り部材２３が一体に縫い合わされているが、本実施例においては、首回り部材３と第２首回り部材３３とが、別部材によって形成されている。
【００４１】
首回り部材３及び第２首回り部材３３の一端は、止着手段４によって止着されて、胴回り部材２に止着されている。
【００４２】
首回り部材３の他端には、第２首回り部材３３と止着する止着部材５０ａが設けられている。また、第２首回り部材３３の他端には、首回り部材３と止着する止着部材５０ｂが設けられ、首回り部材３の止着部材５０ａと止着される。
【００４３】
なお、本実施例においても、上記実施例と同様に、首回り部材３の長手方向の両端に幅広端部５，５がそれぞれ形成され、中間部には両端より幅狭の幅狭中間部６が設けられている。また、第２首回り部材３３の長手方向の両端にも幅広端部５０，５０がそれぞれ形成され、中間部には両端より幅狭の幅狭中間部５６が設けられている。
【００４４】
本実施例では、まず第２首回り部材３３を人体の首に巻き付けられるようにして巻き付け、上記実施例と同様に人体の前面側において他端側の第２首回り部材３３が一端側の第２首回り部材３３の表面上に交差するようにして着用される。次に、首回り部材３を第２首回り部材３３の一部を覆うようにして人体の首に巻き付けられるようにして巻き付け、人体の前面側において他端側の首回り部材３が一端側の首回り部材３の表面上に交差するようにして着用される。
【００４５】
首回り部材３と第２首回り部材３３とが人体に巻き掛けられ、首回り部材３と第２首回り部材３３の端部に設けられた止着部材５０ａ、５０ｂを止着させ、首回り部材３の端部に設けられた他端側止め具１０ａを胴回り部材２の他端側被止め具１０ｂに止着する。
【００４６】
胴回り部材２に首回り部材３及び第２首回り部材３３を止着させ、図示しない胴回り部材２の両端部に設けられた係止手段を係止することにより、人体への着用が完了する。
【００４７】
このような構成により、本実施例５の襟部材３００では、上記実施例と同様の効果を得ることができる。
【００４８】
また、図７（ｂ）に示すように、首回り部材３と第２首回り部材３３を二重とすることができるので、襟部材３００のデザイン性をより高めることができる。
【００４９】
なお、本実施例では、首回り部材３と第２首回り部材３３とを止着するために止着部材５０ａ、５０ｂを設けたが、首回り部材３の裏面又は第２首回り部材３３の表面に、滑り止め部材を使用しても良い。また、首回り部材３又は第２の首回り部材３３に、摩擦係数の高い素材を使用しても良い。
【００５０】
〔実施例６〕
図８を用いて実施例６に係る襟部材４００を説明する。なお、上記実施例と同じ構成については説明を省略する。
【００５１】
本実施例において、襟部材４００は、胴回り部材２と首回り部材３とが連結され、一枚の帯から形成されている。
【００５２】
首回り部材３が連結された胴回り部材２には、係止手段６７ａが設けられている。この係止手段６７ａには、胴回り部材２の端部に設けられた係止手段６７ｂが係止され、係止手段６７ａ、６７ｂが係止される。
【００５３】
本発明の襟部材４００は、図８に示すように、人体の首に巻き付けられるようにして首回り部材３を巻き付け、人体の前面側において他端側の首回り部材３が一端側の首回り部材３の表面上に交差するようにして着用される。このとき、胴回り部材２に形成された一端側被止め具９ｂが首回り部材３の端部に設けられた一端側止め具９ａと止着するように着用される。そして、胴回り部材２が人体の腹部側を中心にして係止手段６７ａ、６７ｂが係止され、人体への着用が完了する。
【００５４】
このような構成により、本実施例６の襟部材４００では、上記実施例と同様の効果を得ることができる。
【産業上の利用可能性】
【００５５】
本発明は、服飾全般に利用することができる。
【符号の説明】
【００５６】
１  襟部材
２  胴回り部材
３  首回り部材
４  止着手段
【図１】
2013122096.tif 000003
【図２】
2013122096.tif 000004
【図３】
2013122096.tif 000005
【図４】
2013122096.tif 000006
【図５】
2013122096.tif 000007
【図６】
2013122096.tif 000008
【図７】
2013122096.tif 000009
【図８】
2013122096.tif 000010